(57)【要約】【課題】エドモンソン券のような小型の券を発行する場合に、券の幅方向の寸法を検出し、券の幅方向の寸法に応じて券側圧ガイドを移動させて、券側圧ガイドと券走行基準ガイドとの間隔を制御することによって、券の幅方向の寸法にばらつきが生じても、券側圧ガイドと券走行基準ガイドとの間隔を適切な値にすることができ、搬送路の途中で券の向きを適切に転換して整列させることができ、かつ、券の破損を防止することができるようにする。【解決手段】複数のサイズの券を取り扱い、小型の券を回転させて向きを転換する券類発行装置であって、前記券を搬送する搬送装置と、前記券をガイドする走行基準ガイドと、該走行基準ガイドに対して垂直な方向に移動可能な券側圧ガイドとを有し、検出された前記券の幅方向の寸法に応じて前記券側圧ガイドを移動させ、前記走行基準ガイドと券側圧ガイドとの間隔を制御する。【選択図】図１
2005222128.tif 000002
【特許請求の範囲】
【請求項１】
（ａ）複数のサイズの券を取り扱い、小型の券を回転させて向きを転換する券類発行装置であって、
（ｂ）前記券を搬送する搬送装置と、
（ｃ）前記券をガイドする走行基準ガイドと、
（ｄ）該走行基準ガイドに対して垂直な方向に移動可能な券側圧ガイドとを有し、
（ｅ）検出された前記券の幅方向の寸法に応じて前記券側圧ガイドを移動させ、前記走行基準ガイドと券側圧ガイドとの間隔を制御することを特徴とする券類発行装置。
【請求項２】
前記券側圧ガイドは前記券が小型の券である場合に該券の搬送面から突出する請求項１に記載の券類発行装置。
【請求項３】
前記券は前記券側圧ガイドに突き当たって回転する請求項１又は２に記載の券類発行装置。
【請求項４】
前記券側圧ガイドは回転した券を前記走行基準ガイドに押し付けて整列させる請求項１〜３のいずれか１項に記載の券類発行装置。
【請求項５】
前記走行基準ガイドには間隙が形成されている請求項１〜４のいずれか１項に記載の券類発行装置。
【発明の詳細な説明】
【技術分野】
【０００１】
本発明は、券類発行装置に関するものである。
【背景技術】
【０００２】
従来、鉄道の駅等に配設された鉄道用乗車券発券装置、自動車の駐車場に配設された駐車券発券装置等の各種の券類発行装置においては、種々のサイズの券を発行するようになっている。例えば、鉄道用乗車券発券装置の場合、三種類のサイズの乗車券を発行して開口から排出するようになっている。この場合、前記乗車券には、長さが８５〔ｍｍ〕及び幅が５７．５〔ｍｍ〕である第１の大型券、長さが１２０〔ｍｍ〕及び幅が５７．５〔ｍｍ〕である第２の大型券、並びに、長さが５７．５〔ｍｍ〕及び幅が３０〔ｍｍ〕であるエドモンソン券の三種類のサイズが存在する。
【０００３】
また、前記券類発行装置においては、長尺の帯状の連続紙をロール状に巻いたロール紙が使用されている。そして、繰り出し装置にセットされたロールから繰り出されたロール紙は、カッター装置によって所定の長さに切断された後、印刷装置によって表面に所定事項が印刷がされ、記録装置の記録ヘッドによって裏面の磁気ストライプ等の記録部に所定事項が記録されて乗車券として発行される。
【０００４】
ここで、前記鉄道用乗車券発券装置の場合、三種類のサイズの乗車券を発行するので、前記カッター装置は、乗車券の種類に応じて切断する位置を変えて、同一のロール紙を切断するようになっている。この場合、前記ロール紙は幅が５７．５〔ｍｍ〕である。そして、第１の大型券を発行する場合、前記カッター装置は、前記ロール紙の先端から８５〔ｍｍ〕の位置でロール紙を切断する。また、第２の大型券を発行する場合、前記カッター装置は、前記ロール紙の先端から１２０〔ｍｍ〕の位置でロール紙を切断する。さらに、エドモンソン券を発行する場合、前記カッター装置は、前記ロール紙の先端から３０〔ｍｍ〕の位置でロール紙を切断する。
【０００５】
ところで、鉄道用乗車券等の券の場合、裏面の磁気ストライプ等の記録部に記録される事項は、一般的に、券の長手方向を記録方向として記録されるようになっている。そのため、前記記録装置においては、記録ヘッドが券の長手方向に相対的に移動するように、券の長手方向が搬送方向と一致するように搬送される。また、発行された券が券類発行装置の開口から排出される際にも、券の長手方向が搬送方向と一致するように搬送されて排出される。そこで、前記券類発行装置においては、エドモンソン券のような小型の券を発行する場合、搬送路の途中で券の向きを転換し、整列させて搬送するようになっている（例えば、特許文献１参照。）。
【０００６】
図２は従来の券類発行装置の券搬送機構の構成を示す平面図である。
【０００７】
図において、１０１は乗車券、１０２は該乗車券１０１を鉄道用乗車券発券装置の内部において搬送する搬送ベルトである。ここで、前記乗車券１０１は、エドモンソン券であり、図示されないカッター装置が、幅が５７．５〔ｍｍ〕のロール紙を先端から３０〔ｍｍ〕の位置で切断することによって作成され、図示されない印刷装置によって表面に所定事項が印刷がされた状態であるものとする。そして、前記乗車券１０１は、搬送ベルト１０２によって矢印Ａで示される方向に搬送される。なお、搬送方向下流側（図における左側）には、前記乗車券１０１の裏面の磁気ストライプ等の記録部に所定事項を記録するための図示されない記録装置が配設されている。
【０００８】
また、前記搬送ベルト１０２の片側には、乗車券１０１の搬送時の基準面となる第１の券走行基準ガイド１０３が前記搬送ベルト１０２と平行して配設され、該搬送ベルト１０２を挟んで前記第１の券走行基準ガイド１０３の反対側には、第２の券走行基準ガイド１０６が前記搬送ベルト１０２と平行して配設されている。なお、前記第１の券走行基準ガイド１０３と第２の券走行基準ガイド１０６との間隔は、エドモンソン券の長手方向の寸法、並びに、第１の大型券及び第２の大型券の短手方向としての幅方向の寸法である５７．５〔ｍｍ〕よりもわずかに広く、かつ、第１の大型券の長手方向の寸法である８５〔ｍｍ〕よりも狭くなっている。
【０００９】
さらに、前記搬送ベルト１０２と第２の券走行基準ガイド１０６との間には券側圧ガイド１０４が配設されている。該券側圧ガイド１０４は図示されない押圧手段によって、券側圧ガイド回転支点１０５を中心として、図における時計回り方向に回転させられ、エドモンソン券である乗車券１０１を前記第１の券走行基準ガイド１０３の側壁に押し付けることができる。なお、前記券側圧ガイド回転支点１０５の位置において、前記第１の券走行基準ガイド１０３と券側圧ガイド１０４との間隔は、エドモンソン券の幅方向の寸法である３０〔ｍｍ〕よりもわずかに広くなっている。
【００１０】
また、前記券側圧ガイド１０４は、券側圧ガイド回転支点１０５も含めて、図示されない昇降装置によって、前記券搬送機構の搬送面（前記搬送ベルト１０２の搬送面とほぼ同一平面）に対して垂直な方向（図における紙面に垂直な方向）に移動させられるようになっている。そして、前記乗車券１０１がエドモンソン券である場合、前記券側圧ガイド１０４は、券側圧ガイド回転支点１０５も含めて、前記昇降装置によって上昇させられ、前記券搬送機構の搬送面から突出する。なお、前記乗車券１０１が第１の大型券又は第２の大型券である場合には、上昇させられず、前記券搬送機構の搬送面から突出しないようになっている。
【００１１】
これにより、横向きの状態、すなわち、幅方向が搬送方向と一致した状態で上流側から搬送されて来たエドモンソン券である乗車券１０１は、前記券側圧ガイド１０４の搬送方向上流側端部に突き当たり、矢印Ｂで示される方向に回転して９０度向きを変える。そして、前記券側圧ガイド１０４の搬送方向下流側の側壁によって前記第１の券走行基準ガイド１０３の側壁に押し付けられる。そのため、前記乗車券１０１は、長手方向が搬送方向と一致した状態で整列し、かつ、前記第１の券走行基準ガイド１０３に沿って、下流側に搬送され、前記記録装置に送り込まれる。したがって、前記乗車券１０１は、前記記録装置において記録ヘッドが乗車券１０１の長手方向に相対的に移動するように搬送され、所定事項が裏面の磁気ストライプ等の記録部に記録される。
【特許文献１】特開２０００−６７２８２号公報
【発明の開示】
【発明が解決しようとする課題】
【００１２】
しかしながら、前記従来の券類発行装置においては、第１の券走行基準ガイド１０３と券側圧ガイド１０４との間隔が一定なので、乗車券１０１の幅方向の寸法に変化があった場合、該乗車券１０１を適切に整列することができなくなってしまう。すなわち、該乗車券１０１は、エドモンソン券である場合、カッター装置が幅が５７．５〔ｍｍ〕のロール紙を先端から３０〔ｍｍ〕の位置で切断することによって作成されるようになっている。そのため、ロール紙を切断する位置が何らかの原因で変化すると、乗車券１０１の幅方向の寸法が変化してしまう。
【００１３】
そして、乗車券１０１の幅方向の寸法が、第１の券走行基準ガイド１０３と券側圧ガイド１０４との間隔よりもかなり小さくなってしまった場合、前記券側圧ガイド１０４が乗車券１０１を第１の券走行基準ガイド１０３の側壁に十分に押し付けることができなくなってしまう。そのため、前記乗車券１０１の長手方向が搬送方向と一致せず、前記乗車券１０１はスキューした状態で搬送されることになる。
【００１４】
また、乗車券１０１の幅方向の寸法が、前記第１の券走行基準ガイド１０３と券側圧ガイド１０４との間隔よりもかなり大きくなってしまった場合、前記乗車券１０１が前記券側圧ガイド１０４の搬送方向上流側端部に突き当たって回転する際に、回転角度が不足したり、過剰になったりしてしまう。そのため、前記乗車券１０１の頂点や側縁が第１の券走行基準ガイド１０３や券側圧ガイド１０４に衝突して、めくれたり折れ曲がったりしてしまう。
【００１５】
本発明は、前記従来の券類発行装置における問題点を解決して、エドモンソン券のような小型の券を発行する場合に、券の幅方向の寸法を検出し、券の幅方向の寸法に応じて券側圧ガイドを移動させて、券側圧ガイドと券走行基準ガイドとの間隔を制御することによって、券の幅方向の寸法にばらつきが生じても、券側圧ガイドと券走行基準ガイドとの間隔を適切な値にすることができ、搬送路の途中で券の向きを適切に転換して整列させることができ、かつ、券の破損を防止することができる券類発行装置を提供することを目的とする。
【課題を解決するための手段】
【００１６】
そのために、本発明の券類発行装置においては、複数のサイズの券を取り扱い、小型の券を回転させて向きを転換する券類発行装置であって、前記券を搬送する搬送装置と、前記券をガイドする走行基準ガイドと、該走行基準ガイドに対して垂直な方向に移動可能な券側圧ガイドとを有し、検出された前記券の幅方向の寸法に応じて前記券側圧ガイドを移動させ、前記走行基準ガイドと券側圧ガイドとの間隔を制御する。
【００１７】
本発明の他の券類発行装置においては、さらに、前記券側圧ガイドは前記券が小型の券である場合に該券の搬送面から突出する。
【００１８】
本発明の更に他の券類発行装置においては、さらに、前記券は前記券側圧ガイドに突き当たって回転する。
【００１９】
本発明の更に他の券類発行装置においては、さらに、前記券側圧ガイドは回転した券を前記走行基準ガイドに押し付けて整列させる。
【００２０】
本発明の更に他の券類発行装置においては、さらに、前記走行基準ガイドには間隙（げき）が形成されている。
【発明の効果】
【００２１】
本発明によれば、エドモンソン券のような小型の券を発行する場合に、券の幅方向の寸法を検出し、券の幅方向の寸法に応じて券側圧ガイドを移動させて、該券側圧ガイドと券走行基準ガイドとの間隔を制御するようになっている。これにより、券の幅方向の寸法にばらつきが生じても、券側圧ガイドと券走行基準ガイドとの間隔を適切な値にすることができ、搬送路の途中で券の向きを適切に転換して整列させることができ、かつ、券の破損を防止することができる。
【発明を実施するための最良の形態】
【００２２】
以下、本発明の実施の形態について図面を参照しながら詳細に説明する。
【００２３】
図１は本発明の実施の形態における券類発行装置の券搬送機構の構成を示す平面図である。
【００２４】
図において、１０は本実施の形態における券類発行装置の券搬送機構である。前記券類発行装置は、例えば、鉄道の駅等に配設された鉄道用乗車券発券装置、自動車の駐車場に配設された駐車券発券装置であるが、いかなる種類の券を発券する券類発行装置であってもよい。そして、該券類発行装置は、複数のサイズの券を発行することができる券類発行装置であって、サイズの異なる複数種類の券を発行し、前記券搬送機構１０によって搬送して図示されない券排出口から排出するようになっている。
【００２５】
本実施の形態においては、説明の都合上、前記券類発行装置が鉄道用乗車券発券装置である場合について説明する。また、１１は乗車券等の券であり、該券１１は、いかなるサイズのものであってもよく、また、何種類であってもよいが、ここでは、「背景技術」の項で説明した従来の券類発行装置と同様に、長さが８５〔ｍｍ〕及び幅が５７．５〔ｍｍ〕である第１の大型券、長さが１２０〔ｍｍ〕及び幅が５７．５〔ｍｍ〕である第２の大型券、並びに、長さが５７．５〔ｍｍ〕及び幅が３０〔ｍｍ〕である小型券としてのエドモンソン券の三種類のサイズの乗車券を取り扱うものとする。
【００２６】
また、前記券類発行装置においては、長尺の帯状の連続紙をロール状に巻いたロール紙が使用されている。該ロール紙は、表面が印刷可能な材質から成り、裏面に磁気ストライプ等の記録部を構成するための磁気層が形成された帯状の連続紙である。なお、前記ロール紙は、前記券類発行装置が備える図示されない繰り出し装置にセットされ、自動的に繰り出されるようになっている。そして、該繰り出し装置にセットされたロールから繰り出されたロール紙は、図示されないカッター装置によって所定の長さに切断された後、ベルト、ローラ、ガイド等から成る図示されない搬送路を搬送されて、該搬送路の途中に配設された前記券搬送機構１０に送り込まれる。
【００２７】
ここで、前記券類発行装置の場合、三種類のサイズの乗車券を発行するので、前記カッター装置は、発行される乗車券の種類に応じて切断する位置を変えて、同一のロール紙を切断するようになっている。この場合、前記ロール紙は、幅が５７．５〔ｍｍ〕であり、繰り出されるロール紙の長さがセンサによって検出され、切断後の紙片である券１１の長さが所定の寸法となるようにカッター装置によって切断される。そして、第１の大型券を発行する場合、前記カッター装置は、前記ロール紙の先端から８５〔ｍｍ〕の位置でロール紙を切断する。また、第２の大型券を発行する場合、前記カッター装置は、前記ロール紙の先端から１２０〔ｍｍ〕の位置でロール紙を切断する。さらに、エドモンソン券を発行する場合、前記カッター装置は、前記ロール紙の先端から３０〔ｍｍ〕の位置でロール紙を切断する。
【００２８】
そして、前記券類発行装置においては、前記カッター装置と券搬送機構１０との間、すなわち、前記搬送路における券搬送機構１０の上流側（図における右側）に、図示されない印刷装置が配設され、該印刷装置によって表面に所定事項が印刷される。該所定事項は、例えば、乗車券、特急券等の券１１の種類を示す事項、乗車駅、下車駅等の乗車区間を示す事項、乗車料金、特急料金等の券１１の料金を示す事項等である。なお、前記印刷装置は、インクジェット式、電子写真式、熱転写式等いかなる種類の印刷方式の印刷装置であってもよく、前記券１１の表面に前記所定事項を印刷することが可能な印刷装置であれば、いかなる種類の印刷装置であってもよい。
【００２９】
また、前記券類発行装置においては、前記券搬送機構１０と券排出口との間、すなわち、前記搬送路における券搬送機構１０の下流側（図における左側）に、図示されない記録装置が配設され、該記録装置の記録ヘッドによって裏面の磁気層から構成される記録部に所定事項が記録される。該所定事項は、例えば、乗車券、特急券等の券１１の種類を示す事項、乗車駅、下車駅等の乗車区間を示す事項、乗車料金、特急料金等の券１１の料金を示す事項等である。なお、鉄道用乗車券等の券の場合、裏面の記録部に記録される事項は、通常、券１１の長手方向を記録方向として記録されるようになっている。そのため、前記記録装置においては、記録ヘッドが券１１の長手方向に相対的に移動するように、券１１の長手方向が搬送方向と一致するように搬送される。また、発行された券１１が券排出口から排出される際にも、券１１の長手方向が搬送方向と一致するように搬送されて排出される。
【００３０】
しかし、前記券１１がエドモンソン券である場合、幅が５７．５〔ｍｍ〕のロール紙が先端から３０〔ｍｍ〕の位置で切断された状態で搬送路を搬送される。すなわち、前記券１１は、横向きの状態、すなわち、幅方向が搬送方向と一致した状態で、カッター装置から搬出されて印刷装置に送り込まれ、該印刷装置によって表面に前記所定事項が印刷され、更に下流に搬送路を搬送される。そこで、前記券類発行装置においては、搬送路の途中の印刷装置と記録装置との間に配設された券搬送機構１０によって、前記券１１がエドモンソン券である場合に、前記券１１の向きを転換し、長手方向が搬送方向と一致した状態に整列させて搬送するようになっている。
【００３１】
図に示されるように、前記券搬送機構１０は、搬送装置としての搬送ベルト１２を備え、該搬送ベルト１２によって券１１を矢印Ｃで示される方向に搬送する。前記搬送ベルト１２は図示されない複数のベルトプーリの周囲に架け回され、電動モータ等の図示されないベルト駆動源を備えるベルト駆動装置によって駆動される。なお、図に示される例において、前記券１１はエドモンソン券であり、横向きの状態、すなわち、幅方向が搬送方向と一致した状態で、上流側から前記券搬送機構１０に搬入される。
【００３２】
そして、前記搬送ベルト１２の片側には、券１１をガイドする走行基準ガイドとしての券走行基準ガイド１３が前記搬送ベルト１２と平行して配設されている。なお、前記券走行基準ガイド１３は、上流側の部分と下流側の部分とに分離され、該上流側の部分と下流側の部分との間には間隙が形成されている。また、前記券走行基準ガイド１３は、前記間隙の上流側及び下流側において、搬送ベルト１２と平行な直線部１３ａと、該直線部１３ａに接続された傾斜部１３ｂとを備える。そして、前記券走行基準ガイド１３の直線部１３ａにおける搬送ベルト１２側（図における下側）の側面は、前記券１１の搬送時の基準面となる。また、前記搬送ベルト１２を挟んで前記券走行基準ガイド１３の反対側には、補助ガイド１６が前記搬送ベルト１２と平行して配設されている。なお、前記券走行基準ガイド１３の直線部１３ａと補助ガイド１６との間隔は、エドモンソン券の長手方向の寸法並びに第１の大型券及び第２の大型券の短手方向としての幅方向の寸法である５７．５〔ｍｍ〕よりもわずかに広く、かつ、第１の大型券の長手方向の寸法である８５〔ｍｍ〕よりも狭くなっている。
【００３３】
また、前記搬送ベルト１２と補助ガイド１６との間には券側圧ガイド１４が配設されている。該券側圧ガイド１４は図示されない押圧手段によって、券側圧ガイド回転支点１５を中心として、図における時計回り方向に回転させられ、エドモンソン券である券１１を前記券走行基準ガイド１３の直線部１３ａの側壁に押し付けることができる。前記押圧手段は、例えば、ばねであるが、電動モータ等の駆動源を備えるものであってもよいし、いかなる種類のものであってもよい。
【００３４】
なお、前記券側圧ガイド１４は、券側圧ガイド回転支点１５も含めて、図示されないガイド昇降装置によって、前記券搬送機構１０の搬送面（前記搬送ベルト１２の搬送面とほぼ同一平面）に対して垂直な方向（図における紙面に垂直な方向）に移動させられるようになっている。そして、前記券１１がエドモンソン券である場合、前記券側圧ガイド１４は、券側圧ガイド回転支点１５も含めて、前記ガイド昇降装置によって上昇させられ、前記券搬送機構１０の搬送面から突出する。また、前記券１１が第１の大型券又は第２の大型券である場合には、上昇させられず、前記券搬送機構１０の搬送面から突出しないようになっている。なお、前記ガイド昇降装置は、電動モータ、ソレノイドプランジャ等の昇降用駆動源、リンク機構等の動力伝達機構等を備えるものであるが、前記券側圧ガイド１４を、券側圧ガイド回転支点１５も含めて、昇降させる装置であれば、いかなる種類の装置であってもよい。
【００３５】
また、前記券搬送機構１０における券側圧ガイド１４より上流側、又は、前記搬送路における券搬送機構１０より上流側には、エドモンソン券である券１１の幅方向の寸法を検出するための検出手段として、図示されないセンサが配設される。該センサは、例えば、複数個の光センサから成り、各光センサは券１１がそれぞれの位置に存在するか否かを検出することができる。そのため、どの光センサが券１１の存在を検出し、どの光センサが券１１の存在を検出していないかによって、前記券１１の幅方向の寸法を検出することができるようになっている。なお、前記センサは、いかなる種類のものであってもよいし、配設される数及び位置も適宜定めることができる。また、前記センサによって、前記券１１がどの種類のものであるか、すなわち、第１の大型券、第２の大型券又はエドモンソン券であるかを判別することができることが望ましい。
【００３６】
さらに、前記券側圧ガイド１４は、券側圧ガイド回転支点１５も含めて、図示されないガイド間隔調整装置によって、前記券搬送機構１０の搬送面と平行で、矢印Ｃで示される券１１の搬送方向に対して垂直な方向（図における矢印Ｅで示される方向）に移動させられるようになっている。そして、券１１がエドモンソン券である場合、前記センサが検出した券１１の幅方向の寸法に応じて、前記券側圧ガイド１４を矢印Ｅで示される方向に移動させて、前記券走行基準ガイド１３と券側圧ガイド１４との間隔を制御する。また、前記券１１が第１の大型券又は第２の大型券である場合には、前記ガイド間隔調整装置が作動しないので、前記券側圧ガイド１４は移動することがない。なお、前記ガイド間隔調整装置は、電動モータ、ソレノイドプランジャ等の移動用駆動源、リンク機構等の動力伝達機構等を備えるものであるが、前記券側圧ガイド１４を、券側圧ガイド回転支点１５も含めて、矢印Ｅで示される方向に移動させる装置であれば、いかなる種類の装置であってもよい。さらに、前記ガイド間隔調整装置は、前記ガイド昇降装置と一体的に構成されたものであってもよい。
【００３７】
なお、前記券側圧ガイド１４は、エドモンソン券である券１１の幅方向の寸法が基準値である場合には基準位置にあり、前記券１１の幅方向の寸法が基準値より大きい場合には券走行基準ガイド１３から離間する方向に移動させられ、前記券１１の幅方向の寸法が基準値より小さい場合には券走行基準ガイド１３に接近する方向に移動させられる。また、前記券側圧ガイド１４が基準位置にある場合、前記券側圧ガイド回転支点１５の位置において、前記券走行基準ガイド１３の直線部１３ａと券側圧ガイド１４との間隔は、エドモンソン券の幅方向の寸法である３０〔ｍｍ〕よりもわずかに広くなっている。
【００３８】
ここで、券走行基準ガイド１３の間隙は、搬送方向に関して、前記券側圧ガイド回転支点１５に対応する位置にある。そして、前記間隙と傾斜部１３ｂとによって、前記券側圧ガイド回転支点１５に対応する位置周辺において、券走行基準ガイド１３と券側圧ガイド１４との間隔が広く形成されるので、後述されるように、真横を向いた状態のエドモンソン券である券１１を回転させて、該券１１の長手方向が搬送方向に一致する状態に整列させることができる。
【００３９】
さらに、前記券類発行装置は、図示されない制御装置を有する。該制御装置は、ＣＰＵ、ＭＰＵ等の演算手段、半導体メモリ、磁気ディスク等の記憶手段、通信インターフェイス等を備える一種のコンピュータであり、センサの出力信号を受信し、ベルト駆動装置、ガイド昇降装置、ガイド間隔調整装置等の動作を制御する。さらに、前記制御装置は、繰り出し装置、カッター装置、印刷装置、記録装置等を含む券類発行装置のすべての動作を制御するものであってもよい。
【００４０】
次に、前記構成の券類発行装置の動作について説明する。まず、券類発行装置が発行する券１１が第１の大型券又は第２の大型券である場合について説明する。
【００４１】
この場合、繰り出し装置にセットされたロールから幅が５７．５〔ｍｍ〕のロール紙が繰り出される。そして、前記券１１が第１の大型券である場合、カッター装置は、前記ロール紙の先端から８５〔ｍｍ〕の位置でロール紙を切断する。また、前記券１１が第２の大型券である場合、前記カッター装置は、前記ロール紙の先端から１２０〔ｍｍ〕の位置でロール紙を切断する。
【００４２】
続いて、前記券１１は長手方向が搬送方向と一致するように搬送路を搬送される。そして、該搬送路の途中に配設された印刷装置によって、前記券１１の表面に所定事項が印刷される。
【００４３】
続いて、前記券１１は、前記印刷装置の下流側に配設された券搬送機構１０に到達する。ここで、センサは、前記券１１が第１の大型券又は第２の大型券であることを判別する。そのため、ガイド昇降装置が作動しないので、券側圧ガイド１４は上昇させられず、前記券搬送機構１０の搬送面から突出していない状態、すなわち、退避した状態を維持する。これにより、前記券１１は、搬送ベルト１２によって矢印Ｃで示される方向に搬送されて、前記券搬送機構１０を通過する。なお、券走行基準ガイド１３の直線部１３ａと補助ガイド１６との間隔が第１の大型券及び第２の大型券の短手方向としての幅方向の寸法である５７．５〔ｍｍ〕よりもわずかに広く、かつ、第１の大型券の長手方向の寸法である８５〔ｍｍ〕よりも狭くなっているので、前記券１１は、券走行基準ガイド１３にガイドされて前記券搬送機構１０を通過する。
【００４４】
続いて、前記券搬送機構１０の下流側に配設された記録装置によって、前記券１１の裏面の記録部に所定事項が記録される。この場合、前記券１１の長手方向が搬送方向と一致するように搬送路を搬送されているので、前記記録装置においては、記録ヘッドが券１１の長手方向に相対的に移動し、前記記録部に記録される所定事項は、前記券１１の長手方向を記録方向として記録される。
【００４５】
最後に、前記券１１は、記録装置の下流側において券排出口から排出される。この際、前記券１１は、長手方向が搬送方向と一致するように搬送されて排出される。
【００４６】
次に、前記券類発行装置が発行する券１１が小型のエドモンソン券である場合について説明する。
【００４７】
この場合、繰り出し装置にセットされたロールから幅が５７．５〔ｍｍ〕のロール紙が繰り出され、カッター装置は、前記ロール紙の先端から３０〔ｍｍ〕の位置でロール紙を切断する。続いて、前記券１１は、横向きの状態、すなわち、幅方向が搬送方向と一致した状態で、搬送路を搬送される。そして、該搬送路の途中に配設された印刷装置によって、前記券１１の表面に所定事項が印刷される。
【００４８】
続いて、前記券１１は、前記印刷装置の下流側に配設された券搬送機構１０に到達する。ここで、センサは、前記券１１がエドモンソン券であることを判別する。そのため、ガイド昇降装置が作動し、券側圧ガイド１４は、券側圧ガイド回転支点１５も含めて、上昇させられ、前記券搬送機構１０の搬送面から突出する。また、前記センサは、前記券１１の幅方向の寸法を検出する。そして、前記券１１の幅方向の寸法が基準値である場合、ガイド間隔調整装置が作動しないので、前記券側圧ガイド１４は基準位置にある。この場合、前記券側圧ガイド回転支点１５の位置において、前記券走行基準ガイド１３の直線部１３ａと券側圧ガイド１４との間隔は、エドモンソン券の幅方向の寸法である３０〔ｍｍ〕よりもわずかに広くなっている。
【００４９】
また、前記券１１の幅方向の寸法が基準値でない場合、ガイド間隔調整装置が作動し、前記券側圧ガイド１４は、券側圧ガイド回転支点１５も含めて、矢印Ｅで示される方向に、券１１の幅方向の寸法に応じて移動させられる。すなわち、前記券側圧ガイド１４は、前記券１１の幅方向の寸法が基準値より大きい場合には券走行基準ガイド１３から離間する方向に移動させられ、前記券１１の幅方向の寸法が基準値より小さい場合には券走行基準ガイド１３に接近する方向に移動させられる。これにより、前記券１１の幅方向の寸法が基準値でない場合であっても、前記券走行基準ガイド１３の直線部１３ａと券側圧ガイド１４との間隔は、前記券１１の幅方向の寸法よりもわずかに広い程度になる。
【００５０】
そして、前記券１１は、幅方向が搬送方向と一致した状態で搬送ベルト１２によって矢印Ｃで示される方向に搬送され、図に示されるように、位置１１ａまで到達すると、前記券１１のほぼ中心部が券側圧ガイド１４の上流側端部に突き当たる。この場合、搬送ベルト１２が矢印Ｃで示される方向に移動し続けているので、前記券１１は、前記券側圧ガイド１４の上流側端部に突き当たっている部分を中心にして、図において反時計回り方向（矢印Ｄで示される方向）に回転する。
【００５１】
ここで、前記券１１が券側圧ガイド１４の上流側端部に突き当たっている部分を中心にして回転する際に、前記券１１の券側圧ガイド１４の上流側端部から最も離れた頂点（図における右上の頂点）の軌跡は、前記券側圧ガイド１４の上流側端部に突き当たっている部分を中心に大きな半径の弧を描くことになる。しかし、前記間隙と傾斜部１３ｂとによって、前記券側圧ガイド回転支点１５に対応する位置周辺において、券走行基準ガイド１３と券側圧ガイド１４との間隔が広く形成されている。そのため、前記券１１の券側圧ガイド１４の上流側端部から最も離れた頂点は、前記券走行基準ガイド１３に衝突することなく、大きな半径の弧を描くことができる。これにより、前記券１１は、前記券走行基準ガイド１３に干渉することなく回転することができる。
【００５２】
そして、前記券１１の姿勢は、順次、位置１１ｂ及び位置１１ｃで示されるように変化し、最終的に９０度向きを変えて、位置１１ｄで示されるような姿勢となる。ここで、前記券１１は、券側圧ガイド１４の搬送方向下流側の側壁によって前記券走行基準ガイド１３の直線部１３ａの側壁に押し付けられる。そのため、前記券１１は、長手方向が搬送方向と一致した状態で整列し、かつ、前記券走行基準ガイド１３にガイドされて前記券搬送機構１０を通過し、下流側に搬送される。
【００５３】
続いて、前記券搬送機構１０の下流側に配設された記録装置によって、前記券１１の裏面の記録部に所定事項が記録される。この場合、前記券１１が長手方向が搬送方向と一致するように搬送路を搬送されているので、前記記録装置においては、記録ヘッドが券１１の長手方向に相対的に移動し、前記記録部に記録される所定事項は、前記券１１の長手方向を記録方向として記録される。
【００５４】
最後に、前記券１１は、記録装置の下流側において券排出口から排出される。この際、前記券１１は、長手方向が搬送方向と一致するように搬送されて排出される。
【００５５】
このように、本実施の形態においては、券１１がエドモンソン券のような小型の券である場合、センサによって前記券１１の幅方向の寸法を検出し、検出された前記券１１の幅方向の寸法に応じて券側圧ガイド１４を移動させて、該券側圧ガイド１４と券走行基準ガイド１３との間隔を制御するようになっている。そのため、カッター装置がロール紙を切断する位置が何らかの原因で変化し、前記券１１の幅方向の寸法が変化しても、すなわち、券１１の幅方向の寸法にばらつきが生じても、前記券側圧ガイド１４と券走行基準ガイド１３との間隔を適切に調整して、券１１の幅方向の寸法に対応する値にすることができる。これにより、前記券１１が前記券側圧ガイド１４に突き当たって回転する際に、回転角度が不足したり、過剰になったりしてしまうことがないので、前記券１１の頂点や側縁が券走行基準ガイド１３や券側圧ガイド１４に衝突して、めくれたり折れ曲がったりしてしまうことがない。したがって、前記券１１を搬送路の途中で向きを適切に転換して整列させることができ、かつ、前記券１１の破損を防止することができる。
【００５６】
なお、本発明は前記実施の形態に限定されるものではなく、本発明の趣旨に基づいて種々変形させることが可能であり、それらを本発明の範囲から排除するものではない。
【図面の簡単な説明】
【００５７】
【図１】本発明の実施の形態における券類発行装置の券搬送機構の構成を示す平面図である。
【図２】従来の券類発行装置の券搬送機構の構成を示す平面図である。
【符号の説明】
【００５８】
１１    券
１２    搬送ベルト
１３    券走行基準ガイド
１４    券側圧ガイド
【図１】
2005222128.tif 000003
【図２】
2005222128.tif 000004